(57)【特許請求の範囲】
【請求項１】
物体側から像面側に向かって順番に配置された、
透明体としてのガラス基板を挟んで配置された複数のレンズエレメントを含む接合体により形成された第１レンズ群と、
透明体としてのガラス基板を挟んで配置された複数のレンズエレメントを含む接合体により形成された第２レンズ群と、からなり、
上記第１レンズ群は、
物体側から像面側に向かって順番に配置された、
第１レンズエレメントと、
第２レンズエレメントと、
第１ガラス基板と、
物体側が平状で像面側が凹状の平凹レンズである第３レンズエレメントと、を含み、
上記第２レンズ群は、
物体側から像面側に向かって順番に配置された、
物体側が凹状で像面側が平状の平凹レンズである第４レンズエレメントと、
第２ガラス基板と、
バッファ層と、
物体側が平状で像面側が凸状の平凸レンズである部分を含む第５レンズエレメントと、を含み、
上記第１レンズエレメントと上記第２レンズエレメントが物体側が凸状で像面側が平状の平凸レンズであるダブレットレンズを形成しており、
上記第１レンズエレメントの屈折率ｎL1、上記第１レンズエレメントのアッベ数νL1、上記第２レンズエレメントのアッベ数νL2は下記の条件式を満足し、
１．４  ≦  nL1  ≦  １．６５
３８  ≦  νL1  ≦  ８０
１８  ≦  νL2  ≦  ４５
上記ダブレットレンズの焦点距離fL12［ｍｍ］は下記の条件式を満足し、
１  ≦  fL12  ≦  １０
上記ダブレットレンズの上記第１レンズエレメントと上記第２レンズエレメントの接合面により形成される第２面の曲率半径Ｒ２は下記の条件式を満足し、
−∞  ≦  Ｒ２  ≦  −０．５［ｍｍ］
上記第２ガラス基板の屈折率ｎｇ２およびアッベ数νｇ２は下記の条件式を満足する
１．３  ≦  ｎｇ２  ≦  １．８２
３５  ≦  νｇ２  ≦  ９０
光学ユニット。
【請求項２】
上記第５レンズエレメントは物体側が平状で像面側が凸状および凹状が混合する平凸凹レンズである
請求項１記載の光学ユニット。
【請求項３】
上記第１ガラス基板の熱膨張係数（ＣＴＥ）値CTEg 1 と、上記第２ガラス基板のＣＴＥ値CTEg 2 との差ΔCTEの絶対値は下記の条件式を満足する
請求項１または２記載の光学ユニット。
ΔCTE ≡ |CTEg 1 - CTE g 2| 
ΔCTE ＜ 1.0e-6
【請求項４】
上記第１レンズ群の焦点距離ｆｇ１は下記の条件式を満足する
請求項１から３のいずれか一に記載の光学ユニット。
１．２  ≦  ｆｇ１  ≦  ８［ｍｍ］
【請求項５】
上記第２レンズ群の焦点距離ｆｇ２は下記の条件式を満足する
請求項１から４のいずれか一に記載の光学ユニット。
−１０  ≦  ｆｇ２  ≦  −１．２［ｍｍ］
【請求項６】
上記第５レンズエレメントは像面側に凸面を含み、当該凸面の曲率半径Ｒｓ５は以下の条件式を満足する
請求項１から５のいずれか一に記載の光学ユニット。
Ｒｓ５  ≦  −３  または  Ｒｓ５  ≧  ５［ｍｍ］
【請求項７】
上記第１ガラス基板の厚さＴｇ１は以下の条件を満足する
請求項１から６のいずれか一に記載の光学ユニット。
０．２  ≦Ｔｇ１≦  ０．７［ｍｍ］
【請求項８】
上記第２ガラス基板の厚さＴｇ２は以下の条件を満足する
請求項１から７のいずれか一に記載の光学ユニット。
０．２  ≦Ｔｇ２≦  ２．５［ｍｍ］
【請求項９】
上記第２ガラス群における上記第２ガラス基板の像面側面と上記第５ガラスエレメントの物体側面との間に配置されたバッファ層を含み、
上記バッファ層の厚さＴｂｕｆは下記の条件式を満足する
請求項１から８のいずれか一に記載の光学ユニット。
０．００５  ≦  Ｔｂｕｆ  ≦  ０．２０［ｍｍ］     
【請求項１０】
上記第１レンズエレメント、上記第２レンズエレメント、上記第３レンズエレメント、上記第４レンズエレメント、および上記第５レンズエレメントのうち少なくとも一のレンズエレメントは紫外線硬化樹脂または熱硬化樹脂により形成される
請求項１から９のいずれか一に記載の光学ユニット。
【請求項１１】
撮像素子と、
撮像素子に被写体像を結像する光学ユニットと、を有し、
上記光学ユニットは、
物体側から像面側に向かって順番に配置された、
透明体としてのガラス基板を挟んで配置された複数のレンズエレメントを含む接合体により形成された第１レンズ群と、
透明体としてのガラス基板を挟んで配置された複数のレンズエレメントを含む接合体により形成された第２レンズ群と、からなり、
上記第１レンズ群は、
物体側から像面側に向かって順番に配置された、
第１レンズエレメントと、
第２レンズエレメントと、
第１ガラス基板と、
物体側が平状で像面側が凹状の平凹レンズである第３レンズエレメントと、を含み、
上記第２レンズ群は、
物体側から像面側に向かって順番に配置された、
物体側が凹状で像面側が平状の平凹レンズである第４レンズエレメントと、
第２ガラス基板と、
バッファ層と、
物体側が平状で像面側が凸状の平凸レンズである部分を含む第５レンズエレメントと、を含み、
上記第１レンズエレメントと上記第２レンズエレメントが物体側が凸状で像面側が平状の平凸レンズであるダブレットレンズを形成しており、
上記第１レンズエレメントの屈折率ｎL1、上記第１レンズエレメントのアッベ数νL1、上記第２レンズエレメントのアッベ数νL2は下記の条件式を満足し、
１．４  ≦  nL1  ≦  １．６５
３８  ≦  νL1  ≦  ８０
１８  ≦  νL2  ≦  ４５
上記ダブレットレンズの焦点距離fL12［ｍｍ］は下記の条件式を満足し、
１  ≦  fL12  ≦  １０
上記ダブレットレンズの上記第１レンズエレメントと上記第２レンズエレメントの接合面により形成される第２面の曲率半径Ｒ２は下記の条件式を満足し、
−∞  ≦  Ｒ２  ≦  −０．５［ｍｍ］
上記第２ガラス基板の屈折率ｎｇ２およびアッベ数νｇ２は下記の条件式を満足する
１．３  ≦  ｎｇ２  ≦  １．８２
３５  ≦  νｇ２  ≦  ９０
撮像装置。
【請求項１２】
上記第５レンズエレメントは物体側が平状で像面側が凸状および凹状が混合する平凸凹レンズである
請求項１１記載の撮像装置。
【請求項１３】
上記第１ガラス基板の熱膨張係数（ＣＴＥ）値CTEg 1 と、上記第２ガラス基板のＣＴＥ値CTEg 2 との差ΔCTEの絶対値は下記の条件式を満足する
請求項１１または１２記載の撮像装置。
ΔCTE ≡ |CTEg 1 - CTEg 2| 
ΔCTE ＜ 1.0e-6
【請求項１４】
上記第１レンズ群の焦点距離ｆｇ１は下記の条件式を満足する
請求項１１から１３のいずれか一に記載の撮像装置。
１．２  ≦  ｆｇ１  ≦  ８［ｍｍ］
【請求項１５】
上記第２レンズ群の焦点距離ｆｇ２は下記の条件式を満足する
請求項１１から１４のいずれか一に記載の撮像装置。
−１０  ≦  ｆｇ２  ≦  −１．２［ｍｍ］
【請求項１６】
上記第５レンズエレメントは像面側に凸面を含み、当該凸面の曲率半径Ｒｓ５は以下の条件式を満足する
請求項１１から１５のいずれか一に記載の撮像装置。
Ｒｓ５  ≦  −３  または  Ｒｓ５  ≧  ５［ｍｍ］
【請求項１７】
上記第１ガラス基板の厚さＴｇ１は以下の条件を満足する
請求項１１から１６のいずれか一に記載の撮像装置。
０．２  ≦Ｔｇ１≦  ０．７［ｍｍ］
【請求項１８】
上記第２ガラス基板の厚さＴｇ２は以下の条件を満足する
請求項１１から１７のいずれか一に記載の撮像装置。
０．２  ≦Ｔｇ２≦  ２．５［ｍｍ］
【請求項１９】
上記第２ガラス群における上記第２ガラス基板の像面側面と上記第５ガラスエレメントの物体側面との間に配置されたバッファ層を含み、
上記バッファ層の厚さＴｂｕｆは下記の条件式を満足する
請求項１１から１８のいずれか一に記載の撮像装置。
０．００５  ≦  Ｔｂｕｆ  ≦  ０．２０［ｍｍ］     
【発明の詳細な説明】
【技術分野】
【０００１】
本発明は、撮像機器に適用される光学ユニットおよび撮像装置に関するものである。
【背景技術】
【０００２】
近年の携帯電話やパーソナルコンピュータ（ＰＣ）等に搭載される撮像機器には、高解像度・ローコスト・小型化が強く求められている。
【０００３】
ＣＣＤ(Charge Coupled Device)やＣＭＯＳ(Complementary Metal Oxide Semiconductor)イメージセンサ等の撮像素子のセルピッチが劇的に小さくなり、光学系には通常光学系よりも光学収差、特に軸上色収差を抑えた高い結像性能が要求される。
また、価格要求に対して、ウエハー状に多数個のレンズを一度に作りコストを削減するという技術が知られている。
【０００４】
また、特許文献１には、ダブレットレンズに関する技術が記載されている。ここでは、一箇所にレプリカレンズを重ね塗りしていき、高ＮＡを実現することが記載されている。
【先行技術文献】
【特許文献】
【０００５】
【特許文献１】特表２００５−５１７９８４号公報
【発明の概要】
【発明が解決しようとする課題】
【０００６】
上述した特許文献１では、凸凸の構成しか記載されていない。この構成は、対物レンズやコリメータレンズの場合に有用である。
しかし、所定のアプリケーションである撮像光学系は、凸凸の場合、収差が取れずに有用ではない。
また、一つのガラス基板の片面にレンズを形成する例しか挙げられておらず、具体的な設計例が無い。
【０００７】
本発明は、高解像度、高性能な撮像光学系を実現することが可能な光学ユニットおよび撮像装置を提供することにある。
【課題を解決するための手段】
【０００８】
本発明の第１の観点の光学ユニットは、物体側から像面側に向かって順番に配置された、透明体としてのガラス基板を挟んで配置された複数のレンズエレメントを含む接合体により形成された第１レンズ群と、透明体としてのガラス基板を挟んで配置された複数のレンズエレメントを含む接合体により形成された第２レンズ群と、からなり、上記第１レンズ群は、物体側から像面側に向かって順番に配置された、第１レンズエレメントと、第２レンズエレメントと、第１ガラス基板と、物体側が平状で像面側が凹状の平凹レンズである第３レンズエレメントと、を含み、上記第２レンズ群は、物体側から像面側に向かって順番に配置された、物体側が凹状で像面側が平状の平凹レンズである第４レンズエレメントと、第２ガラス基板と、バッファ層と、物体側が平状で像面側が凸状の平凸レンズである部分を含む第５レンズエレメントと、を含み、上記第１レンズエレメントと上記第２レンズエレメントが物体側が凸状で像面側が平状の平凸レンズであるダブレットレンズを形成しており、
上記第１レンズエレメントの屈折率ｎL1、上記第１レンズエレメントのアッベ数νL1、上記第２レンズエレメントのアッベ数νL2は下記の条件式を満足し、
１．４  ≦  nL1  ≦  １．６５
３８  ≦  νL1  ≦  ８０
１８  ≦  νL2  ≦  ４５
上記ダブレットレンズの焦点距離fL12［ｍｍ］は下記の条件式を満足し、
１  ≦  fL12  ≦  １０
上記ダブレットレンズの上記第１レンズエレメントと上記第２レンズエレメントの接合面により形成される第２面の曲率半径Ｒ２は下記の条件式を満足し、
−∞  ≦  Ｒ２  ≦  −０．５［ｍｍ］
上記第２ガラス基板の屈折率ｎｇ２およびアッベ数νｇ２は下記の条件式を満足する。
１．３  ≦  ｎｇ２  ≦  １．８２
３５  ≦  νｇ２  ≦  ９０
光学ユニット。
【０００９】
本発明の第２の観点の撮像装置は、撮像素子と、撮像素子に被写体像を結像する光学ユニットと、を有し、上記光学ユニットは、物体側から像面側に向かって順番に配置された、透明体としてのガラス基板を挟んで配置された複数のレンズエレメントを含む接合体により形成された第１レンズ群と、透明体としてのガラス基板を挟んで配置された複数のレンズエレメントを含む接合体により形成された第２レンズ群と、からなり、上記第１レンズ群は、物体側から像面側に向かって順番に配置された、第１レンズエレメントと、第２レンズエレメントと、第１ガラス基板と、物体側が平状で像面側が凹状の平凹レンズである第３レンズエレメントと、を含み、上記第２レンズ群は、物体側から像面側に向かって順番に配置された、物体側が凹状で像面側が平状の平凹レンズである第４レンズエレメントと、第２ガラス基板と、バッファ層と、物体側が平状で像面側が凸状の平凸レンズである部分を含む第５レンズエレメントと、を含み、上記第１レンズエレメントと上記第２レンズエレメントが物体側が凸状で像面側が平状の平凸レンズであるダブレットレンズを形成しており、
上記第１レンズエレメントの屈折率ｎL1、上記第１レンズエレメントのアッベ数νL1、上記第２レンズエレメントのアッベ数νL2は下記の条件式を満足し、
１．４  ≦  nL1  ≦  １．６５
３８  ≦  νL1  ≦  ８０
１８  ≦  νL2  ≦  ４５
上記ダブレットレンズの焦点距離fL12［ｍｍ］は下記の条件式を満足し、
１  ≦  fL12  ≦  １０
上記ダブレットレンズの上記第１レンズエレメントと上記第２レンズエレメントの接合面により形成される第２面の曲率半径Ｒ２は下記の条件式を満足し、
−∞  ≦  Ｒ２  ≦  −０．５［ｍｍ］
上記第２ガラス基板の屈折率ｎｇ２およびアッベ数νｇ２は下記の条件式を満足する。
１．３  ≦  ｎｇ２  ≦  １．８２
３５  ≦  νｇ２  ≦  ９０
【発明の効果】
【００１０】
本発明によれば、ウエハーオプトと呼ばれるダブレットレンズを適用して高解像度、高性能な撮像光学系を実現することができる。
【図面の簡単な説明】
【００１１】
【図１】本発明の第１の実施形態に係る撮像レンズの構成例を示す図である。
【図２】本実施形態に係る第４レンズエレメントの面形状の一例を模式的に示す図である。
【図３】本実施形態に係る撮像レンズの各レンズ群を構成する各レンズ、基板、並びに撮像部を構成するカバーガラスに対して付与した面番号を示す図である。
【図４】実施例１において、球面収差、非点収差、および歪曲収差を示す収差図である。
【図５】本発明の第２の実施形態に係る撮像レンズの構成例を示す図である。
【図６】実施例２において、球面収差、非点収差、および歪曲収差を示す収差図である。
【図７】本発明の第３の実施形態に係る撮像レンズの構成例を示す図である。
【図８】実施例３において、球面収差、非点収差、および歪曲収差を示す収差図である。
【図９】本発明の第４の実施形態に係るウエハーレベルオプティクを概念的に示す図である。
【図１０】本実施形態に係る撮像レンズが採用される撮像装置の構成例を示すブロック図である。
【発明を実施するための形態】
【００１２】
以下、本発明の実施形態を添付図面に関連付けて説明する。
なお、説明は以下の順序で行う。
１．第１の実施形態（光学ユニットを採用した撮像レンズの第１の構成例）
２．第２の実施形態（光学ユニットを採用した撮像レンズの第２の構成例）
３．第３の実施形態（光学ユニットを採用した撮像レンズの第３の構成例）
４．第４の実施形態（ウエハオプトの概念）
５．第５の実施形態（撮像装置の構成例）
【００１３】
＜１．第１の実施形態＞
図１は、本発明の第１の実施形態に係る光学ユニットを採用した撮像レンズの構成例を示す図である。
【００１４】
本第１の実施形態の撮像レンズ１００は、図１に示すように、物体側ＯＢＪＳから像面側に向かって順番に配置された、第１レンズ群１１０、第２レンズ群１２０、カバーガラス１３０、および像面１４０を有する。
この撮像レンズ１００は、単焦点レンズとして形成されている。そして、第１レンズ群１１０および第２レンズ群１２０により光学ユニットが形成される。
【００１５】
第１レンズ群１１０および第２レンズ群１２０は、透明体を挟んで配置された複数のレンズエレメントを含む接合体により形成されている。
【００１６】
具体的には、第１レンズ群１１０は、物体側ＯＢＪＳから像面１４０側に向かって順番に配置された、第１レンズエレメント１１１、第２レンズエレメント１１２、第１透明体１１３、および第３レンズエレメント１１４とを含む接合体により形成されている。
そして、第１レンズエレメント１１１と第２レンズエレメント１１２は、ダブレットレンズ２００を形成している。
【００１７】
第２レンズ群１２０は、物体側ＯＢＪＳから像面１４０側に向かって順番に配置された第４レンズエレメント１２１、第２透明体１２２、バッファ層１２３、および第５レンズエレメント１２４と、を含み、これらの接合体により形成されている。
バッファ層１２３は、レンズの一部であり、レンズ材と同じ材料により形成されている。バッファ層１２３は、精度が別々にバッファ層として得られない部分を定めて設計され、製造される。
【００１８】
このように、第１レンズ群１１０および第２レンズ群１２０は、レンズエレメントと透明体との接合体により形成されていることから、撮像レンズ１００は、全体としてレンズ面は、第１面ＳＦ１、第２面ＳＦ２、第３面ＳＦ３、および第４面ＳＦ４を有している。
第１面ＳＦ１は第１レンズエレメント１１１の物体側面により形成され、第２面ＳＦ２は第３レンズエレメント１１４の像面側面により形成される。
第３面ＳＦ３は第４レンズエレメント１２１の物体側面により形成され、第４面ＳＦ４は第５レンズエレメント１２４の像面側面により形成される。
【００１９】
そして、本実施形態の撮像レンズ１００は、基本的に、第１レンズ群１１０および第２レンズ群１２０は一方が正のパワーを、他方が負のパワーを持つように形成される。
【００２０】
単焦点レンズである撮像レンズ１００において、像面１４０は、ＣＣＤセンサやＣＭＯＳセンサ等の固体撮像素子の撮像面（受像面）が配置されることを想定している。
カバーガラス１３０は、第４面ＳＦ４と像面１４０との間に配置されている。第４面ＳＦ４と像面１４０との間には、樹脂またはガラスで形成されるカバーガラス１３０や赤外カットフィルタやローパスフィルタなどの他、光学部材が配置されていてもよい。
なお、本実施形態では、図１において、左側が物体側（前方）であり、右側が像面側（後方）である。
そして、物体側から入射した光束は像面１４０上に結像される。
【００２１】
以下、本実施形態の撮像レンズの構成とその作用について説明する。
【００２２】
本撮像レンズ１００は、２群７枚構成のレンズで形成されている。
第１レンズ群１１０において、第１レンズエレメント１１１および第２レンズエレメント１１２で形成されるダブレットレンズ２００は、物体側が凸状で像面側が平状の平凸レンズである。
また、第３レンズエレメント１１４は物体側が平状で像面側が凹状の平凹レンズである。
第２レンズ群１２０において、第４レンズエレメント１２１は物体側が凹状で像面側が平状の平凹レンズである。
第５レンズエレメント１２４は物体側が平状で像面側が凸状の平凸レンズである。
たとえば、第５レンズエレメント１２４は、後述するように、物体側が平状で像面側が凸状および凹状が混合する平凸凹レンズである。
【００２３】
具体的には、第１レンズ群１１０において、第１レンズエレメント１１１は、第１面ＳＦ１を形成する物体側の面が凸形状でアッベ数νL1が大きい非球面レンズにより形成される。
第２レンズエレメント１１２はアッベ数νL２が小さいレンズにより形成される。
第１透明体１１３は、たとえばアッベ数νｇ１が小さく屈折率ｎｇ１が高い、平板状のガラス基板（透明基板）により形成される。
第３レンズエレメント１１４は、第２面ＳＦ２を形成する像面側の面が像面側が凹形状の非球面レンズにより形成される。
第１レンズ群１１０は、第１透明体（第１ガラス基板）１１３の物体側面に第２レンズエレメント１１２が形成され、さらに物体側ＯＢＪＳに第１レンズエレメント１１１が接合してダブレットレンズ２００が形成されている。
そして、第１透明体（第１ガラス基板）１１３の像面側面に第２レンズエレメント１１４が接合して形成されている。
また、絞りは、第１透明体１１３の物体側にクロム膜等の遮光作用を有する物質として付けられている。
【００２４】
第２レンズ群１２０において、第４レンズエレメント１２１は、第３面ＳＦ３を形成する物体側面が凹形状の非球面レンズにより形成される。
第２透明体１２２は、アッベ数νｇ１が大きく屈折率ｎｇ２が低い平板状のガラス基板により形成される。
第２透明体（第２ガラス基板）１２２の物体側面に第４レンズエレメント１２１が接合して形成されている。
第２透明体（第２ガラス基板）１２２の像面側面に第２バッファ層１２３が形成され、第２バッファ層１２３のさらに像面側に第５レンズエレメント１２４が接合して形成されている。
第５レンズエレメント１２４は、第４面ＳＦ４を形成する像面側の面が凸形状または凸凹混合の凸凹形状の非球面レンズにより形成されている。
【００２５】
図２は、本実施形態に係る第５レンズエレメント１２４の面形状の一例を模式的に示す図である。
図２においては、第２レンズ群１２０が、第２バッファ層を省略して示されている。
【００２６】
図２の第５レンズエレメント１２４は、物体側が平状で像面側が凸状および凹状が混合する平凸凹レンズにより形成されている。
第５レンズエレメント１２４は、光軸ＯＸを含む光軸の周辺部が凹状に形成された凹状部１２４１と、凹状部１２４１のさらに外周側の周辺部が凸状に形成された凸状部１２４２と、を有する。
さらに、第５レンズエレメント１２４は、凸状部１２４２のさらに外周側の周辺部が平状に形成された平状部１２４３を有する。
【００２７】
なお、以下の説明では、第１透明体１１３を同じ符号を用いて第１ガラス基板として、第２透明体１２２を同じ符号を用いて第２ガラス基板として表す場合がある。
【００２８】
第１レンズエレメント１１１、第２レンズエレメント１１２、第３レンズエレメント１１４、第４レンズエレメント１２１、および第５レンズエレメント１２４は、紫外線（ＵＶ）硬化樹脂や熱硬化樹脂、あるいはプラスチック等により形成される。
ここで、バッファ層１２３は、レンズ材質と同様の硝材で基本的にレンズの一部であるが、精度の出ない部分を別枠バッファ層として定義して、設計、製造しているものである。
精度が出ない理由は、ＵＶ硬化樹脂や熱硬化樹脂、もしくはプラスッチック等は、硬化時に５％から７％の収縮が生じ、このことと、基板に貼り付けることとの兼ね合せにより、収縮の振る舞いが予想できないことによる。また、バッファ層は透明体（透明基板）の厚みの誤差を吸収するために使用される。
本実施形態では、バッファ層を第２レンズ群１２０に配置した例を示しているが、必要に応じて第１レンズ群１１０に配置することも可能である。
【００２９】
このように、本第１の実施形態の撮像レンズ１００は、２群７枚構成のレンズで形成されている。
第１レンズ群１１０が、物体側から像面側に向かって、凸形状でアッベ数νｓ１が大きい非球面レンズの第１面ＳＦ１、アッベ数νｇ１が小さく屈折率ｎｇ１が高い第１透明体（第１ガラス基板）１１３、および凹形状の非球面レンズの第２面ＳＦ２により形成される。
第２レンズ群１２０が、物体側から像面側に向かって、凹形状の非球面レンズの第３面ＳＦ３、アッベ数νｇ２が大きく屈折率ｎｇ２が低い第２透明体（第２ガラス基板）１２２、非球面レンズの第４面ＳＦ４により形成される。
【００３０】
そして、単焦点レンズである本実施形態の撮像レンズ１は、以下の条件式（１)〜(１４)を満足するように構成されている。
【００３１】
条件式（１）では、ダブレットレンズ２００を形成する第１レンズエレメント１１１の屈折率ｎL1が規定されている。
【００３２】
［数１］
１．４  ≦  nL1  ≦  １．６５      ・・・（１）
【００３３】
第１レンズエレメント１１１は光学的に屈折率が大きい方が、諸収差をよく補正するが、材料の物性の制限があり、選べる範囲が限られている。この条件が条件式（１）である。
【００３４】
条件式（２）では、ダブレットレンズ２００を形成する第１レンズエレメント１１１のアッベ数νL1が規定されている。条件式（３）では、ダブレットレンズ２００を形成する第２レンズエレメント１１２のアッベ数νL２が規定されている。
【００３５】
［数２］
３８  ≦  νL1  ≦  ８０        ・・・（２）
【００３６】
［数３］
１８  ≦  νL2  ≦  ４５        ・・・（３）
【００３７】
第１レンズエレメント１１１と第２レンズエレメント１１２は、アッベ数が大きい第１レンズエレメント１１１、アッベ数が小さい第２レンズエレメント１１２で色収差を消す機能を有する。この最適条件が条件式（２）および（３）である。
【００３８】
条件式（４）では、ダブレットレンズ２００の焦点距離fL12が規定されている。
【００３９】
［数４］
１  ≦  fL12  ≦  １０        ・・・（４）
【００４０】
後述する条件式（７）および（８）にもあるように、第１レンズ群１１０と第２レンズ群１２０の相乗効果で諸収差を補正するには、片方が正のパワーでまた一方が負のパワーが良い。
ここでは、光学全長が短いことが要求されるので、第１レンズ群１１０が正のパワー、第２レンズ群１２０が負のパワーになることが望ましい。
また、全体では第３レンズエレメント１１４、第４レンズエレメント１２１が負のパワーで向き合うほうが収差を良く補正する。
そのため第１レンズエレメント１１１と第２レンズエレメント１１２で構成するダブレットレンズ２００は、程よい正のパワーである必要がある。この条件が条件式（４）である。
【００４１】
条件式（５）では、ダブレットレンズ２００の第１レンズエレメント１１１と第２レンズエレメント１１２の接合面により形成される第２面の曲率半径Ｒ２が規定されている。
【００４２】
［数５］
−∞  ≦  Ｒ２  ≦  −０．５      ・・・（５）
【００４３】
このダブレットレンズ２００の接合面は、収差補正の都合上最適値が存在する。
基本的に第２レンズエレメント１１２が負のパワーになるほうが、正弦条件をより満たす。その最適条件が条件式（５）である。
【００４４】
条件式（６）では、第１透明体１１３のＣＴＥ値CTEg 1 と、第２透明体１２２のＣＴＥ値CTEg 2 との差の絶対値ΔCTEが規定されている。
【００４５】
［数６］
ΔCTE ≡ |CTEg 1 - CTE g2| 
ΔCTE ＜ 1.0e-6                  ・・・（６）
【００４６】
本実施形態に係る光学ユニットの製造時、第１レンズ群１１０と第２レンズ群１２０の接着行程があり、そのときに多少の温度を加える。
このときに、第１レンズ群１１０と第２レンズ群１２０の基板（透明体）の膨張係数が違うと、レンズに歪が生ずる。この最適条件が条件式（６）である。
【００４７】
条件式（７）および（８）では、第１レンズ群１１０の焦点距離ｆｇ１、および第２レンズ群１２０の焦点距離ｆｇ２の条件が規定されている。
【００４８】
［数７］
１．２  ≦  ｆｇ１  ≦  ８        ・・・（７）
【００４９】
［数８］
−１０  ≦  ｆｇ２  ≦  −１．２  ・・・（８）
【００５０】
上述したように、第１レンズ群１１０と第２レンズ群１２０の相乗効果で諸収差を補正するには、片方が正のパワーでまた一方が負のパワーが良い。
ここでは、光学全長が短いことが要求されるので、第１レンズ群１１０が正のパワー、第２レンズ群１２０が負のパワーになることが望ましい。
ところが、この条件が行き過ぎると非常に小さい群間偏芯でも大きく特性に影響を及ぼすようになり、製造トレランスが狭くなる。この最適条件が条件式（７）および（８）である。
【００５１】
条件式（９）および（１０）では、第２透明体１２２の屈折率ｎｇ２およびアッベ数νｇ２が規定されている。
【００５２】
［数９］
１．３  ≦  ｎｇ２  ≦  １．８２  ・・・（９）
【００５３】
［数１０］
３５  ≦  νｇ２  ≦  ９０      ・・・（１０）
【００５４】
第２レンズ群１２０は、第１レンズ群１１０と逆に非点収差とコマ収差をより多く補正する必要があることから、ガラス基板の屈折率が小さいほうが良い。
上限がこのために決まり、下限は上記同様材料の制約で決まる。この最適条件が条件式（９）である。
【００５５】
第２レンズ群１２０はアッベ数の大きい第２透明体（第２基板）１２２で最適な全体色消しを行う。アッベ数小、すなわち分散が大きいと今まで消した色収差を発生させるので、好ましくない。また、上限は上記同様に材料の制限で決まる。よってこの最適条件が条件式（１０）である。
【００５６】
条件式（１１）では、第５レンズエレメント１２４の像面側凸面の曲率半径Ｒｓ５が規定されている。
【００５７】
［数１１］
Ｒｓ５  ≦  −３  または  Ｒｓ５  ≧  ５    ・・・（１１）
【００５８】
第５レンズエレメント１２４の像面側凸面（第４面ＳＦ４）の曲率が極端に正になった場合、光軸近傍よりも周辺の面が像側に突出する形状となり撮像素子で反射した光が、また第４面ｓＳＦ４で反射しゴーストを発生しやすい形状となるため好ましくない。
同時に、こういった場合、周辺の光をより周辺に跳ね上げることになるので、センサに対する入射角度がきつくなり、好ましくない。
さらに突出部によりバックフォーカスが短くなってしまうという問題も起こる。また、負の曲率がきつくなりすぎると、像面湾曲がマイナスになり補正が困難となる。
十分なバックフォーカスを確保し、望ましいイメージャ入射角を満たし、望ましいカメラ性能を得る最適条件が条件式（１１）である。
【００５９】
条件式（１２）では、第１透明体１１３の厚さＴｇ１が規定されている。
【００６０】
［数１２］
０．２  ≦Ｔｇ１≦  ０．７［ｍｍ］      ・・・（１２）
【００６１】
第１レンズ群１１０で発生する非点収差とコマ収差を減らすには、第１透明体（第１ガラス基板１１３が薄い方がよい、よって上限が発生する。また、薄すぎる場合、基板が反り製造できなくなる。このため下限が存在する。よって、この最適条件が条件式（１２）である。
【００６２】
条件式（１３）では、第２透明体１２２の厚さＴｇ２が規定されている。
【００６３】
［数１３］
０．２  ≦Ｔｇ２≦  ２．５［ｍｍ］      ・・・（１３）
【００６４】
第２レンズ群１２０は、第１レンズ群１１０と逆に非点収差とコマ収差をより多く補正する必要があることから、第２透明体（第２ガラス基板）１２２の厚みを収差が出過ぎないほどの厚さの方が良い。
また、ここの厚みは全体光学長にも依存する。厚すぎると特にコマ収差が発生しすぎて特性が劣化し、薄すぎると、収差補正が十分でなくなる。もしくは上記同様に基板が反り製造できなくなる。よってこの最適条件が条件式（１３）である。
厚さＴｇ１, Ｔｇ２の下限は、はり合わせ幅があることから、０．２［ｍｍ］としている。はり合わせ幅がなければ、０．１［ｍｍ］程度も許容範囲内である。
【００６５】
条件式（１４）では、バッファ層１２４の厚さＴｂｕｆが規定されている。
【００６６】
［数１４］
０．００５  ≦  Ｔｂｕｆ  ≦  ０．２０［ｍｍ］・・・（１４）
【００６７】
凸形状もしくは周辺が凸形状に類するもののとき、バッファ層が必要になる。これは、基板にレンズを貼り付けるときに、基板近くのレンズの形状精度が出にくいことによる。
厚すぎると収差が発生して光学特性、特に非点収差とコマ収差を劣化させ、薄すぎると境界近傍の形状精度が出なくなる。よってこの最適条件が条件式（１４）である。
【００６８】
上記の条件式（１）〜（１４）は、以下で取り扱う実施例１，２，３に共通するものであり、必要に応じて適宜採用することで、個々の撮像素子または撮像装置に適したより好ましい結像性能とコンパクトな光学系が実現される。
【００６９】
なお、レンズの非球面の形状は、物体側から像面側へ向かう方向を正とし、ｋを円錐係数、Ａ、Ｂ、Ｃ、Ｄを非球面係数、ｒを中心曲率半径としたとき次式で表される。ｙは光軸からの光線の高さ、ｃは中心曲率半径ｒの逆数（１／ｒ）をそれぞれ表している。
ただし、Ｘは非球面頂点に対する接平面からの距離を、Ａは４次の非球面係数を、Ｂは６次の非球面係数を、Ｃは８次の非球面係数を、Ｄは１０次の非球面係数を、Ｅは１２次の非球面係数を、Ｆは１４次の非球面係数をそれぞれ表している。
【００７０】
【数１５】
0005434457.tif 000002
【００７１】
図３は、本実施形態に係る撮像レンズの各レンズ群を構成する各レンズ、基板、並びに撮像部を構成するカバーガラスに対して付与した面番号を示す図である。
【００７２】
具体的には、第１レンズエレメント１１１の物体側面（凸面）に第１番、第１レンズエレメント１１１の像面側面と第２レンズエレメント１１２の物体側面との境界面（接合面）に第２番の面番号が付与されている。
第２レンズエレメント１１２の像面側面と第１透明体（第１ガラス基板）１１３の物体側面との境界面(接合面)に第３番の面番号が付与されている。
第１透明体（第１ガラス基板）１１３の像面側面と第３レンズエレメント１１４の物体側面との境界面（接合面）に第４番の面番号が付与されている。第３レンズエレメント１１４の像面側面（凹面）に第５番の面番号が付与されている。
第４レンズエレメント１２１の物体側面（凹面）に第６番、第４レンズエレメント１２１の像面側面と第２透明体（第２ガラス基板）１２２の物体側面との境界面（接合面）に第７番の面番号が付与されている。
第２透明体（第２ガラス基板）１２２の像面側面と第２バッファ層１２３の物体側面との境界面（接合面）に第８番、第２バッファ層１２３の像面側面と第５レンズエレメント１２４の物体側面との境界面（接合面）に第９の面番号が付与されている。
第５レンズエレメント１２４の像面側面（非球面）に第１０番、カバーガラス１３０の物体側面に第１１番の面番号が付与されている。また、カバーガラス１３０の像面側面に第１２番の面番号が付与されている。
【００７３】
また、図３に示すように、本実施形態の撮像レンズ１００において、第１レンズエレメント１１１の物体側面（第１番）１の中心曲率半径はＲ１に設定される。
第１レンズエレメント１１１の像面側面と第２レンズエレメント１１２の物体側面との境界面（接合面）２の中心曲率半径はＲ２に設定される。
第２レンズエレメント１１２の像面側面と第１透明体（第１ガラス基板）１１３の物体側面との境界面(接合面)３の中心曲率半径はＲ３に設定される。
第１透明体（第１ガラス基板）１１３の像面側面と第３レンズエレメント１１４の物体側面との境界面（接合面）４の中心曲率半径はＲ４に、第３レンズエレメント１１４の像面側面（凹面）５の中心曲率半径はＲ５に設定される。
第４レンズエレメント１２１の物体側面（凹面）６の中心曲率半径はＲ６に、第４レンズエレメント１２１の像面側面と第２透明体（第２ガラス基板）１２２の物体側面との境界面（接合面）７の中心曲率半径はＲ７に設定される。
第２透明体（第２ガラス基板）１２２の像面側面と第２バッファ層１２３の物体側面との境界面（接合面）８の中心曲率半径はＲ８に設定される。
第２バッファ層１２３の像面側面と第５レンズエレメント１２４の物体側面との境界面（接合面）９の中心曲率半径はＲ９に設定される。
第５レンズエレメント１２４の像面側面（非球面）１０の中心曲率半径はＲ１０に、カバーガラス１３０の物体側面１１の中心曲率半径はＲ１１に設定される。カバーガラス１３０の像面側面１２の中心曲率半径はＲ１２に設定される。像面１４０の面１３の中心曲率半径はＲ１３に設定される。
なお、面３，４，７，８，９，１１，１２、および１３の中心曲率半径Ｒ３，Ｒ４，Ｒ７，Ｒ８，Ｒ９，Ｒ１１，Ｒ１２、およびＲ１３は無限（ＩＮＦＩＮＩＴＹ）である。
【００７４】
また、図３に示すように、第１レンズエレメント１１１の厚さとなる面１と面２間の光軸ＯＸ上の距離がｄ１に、第２レンズエレメント１１２の厚さとなる面２と面３間の光軸ＯＸ上の距離がｄ２に設定される。
第１透明体（第１ガラス基板）１１３の厚さとなる面３と面４間の光軸ＯＸ上の距離がｄ３、第３レンズエレメント１１４の厚さとなる面４と面５間の光軸ＯＸ上の距離がｄ４に設定される。
第３レンズエレメント１１４の像面側面５と第４レンズエレメント１２１の物体側面６間の光軸ＯＸ上の距離がｄ５に設定される。
第４レンズエレメント１２１の厚さとなる面６と面７間の光軸ＯＸ上の距離がｄ６に、第２透明体（第２ガラス基板）１２２の厚さとなる面７と面８間の光軸ＯＸ上の距離がｄ７に設定される。
第２バッファ層１２３の厚さとなる面８と面９間の光軸ＯＸ上の距離がｄ８に、第５レンズエレメント１２４の厚さとなる面９と面１０間の光軸ＯＸ上の距離がｄ９に設定される。
第５レンズエレメント１２４の像面側面１０とカバーガラス１３０の物体側面１１間の光軸ＯＸ上の距離がｄ１０に、カバーガラス１３０の厚さとなる物体側面１１と像面側面間の光軸ＯＸ上の距離がｄ１１に設定される。
【００７５】
以下に、撮像レンズの具体的な数値による実施例１を示す。なお、実施例１においては、撮像レンズ１００の各レンズエレメント、バッファ層、ガラス基板（透明体）、撮像部を構成するカバーガラス１３０に対して、図３に示すような面番号が付与されている。
【００７６】
［実施例１］
表１、表２、表３、および表４に実施例１の各数値が示されている。実施例１の各数値は図１の撮像レンズ１００に対応している。
【００７７】
表１は、実施例１における撮像レンズの各面番号に対応した各レンズエレメント、バッファ層、ガラス基板（透明体）、撮像部を構成するカバーガラスの曲率半径（Ｒ：ｍｍ），間隔（ｄ：ｍｍ）、屈折率（ｎｄ）、および分散値（νｄ）を示している。
【００７８】
【表１】
0005434457.tif 000003
【００７９】
表２は、実施例１における非球面を含む第１レンズエレメント１１１の面１、第２レンズエレメント１１４の面５、第４レンズエレメント１２１の面６、並びに第５レンズエレメント１２４の面１０の４次、６次、８次、１０次の非球面係数を示す。
表２において、Ｋは円錐定数を、Ａは４次の非球面係数を、Ｂは６次の非球面係数を、Ｃは８次の非球面係数を、Ｄは１０次の非球面係数をそれぞれ表している。
【００８０】
【表２】
0005434457.tif 000004
【００８１】
表３は、実施例１における撮像レンズ１００の焦点距離ｆ、開口数Ｆ、半画角ω、レンズ長Ｈが具体的に示されている。
ここで、焦点距離ｆは３．７８［ｍｍ］に、開口数Ｆは２．８に、半画角ωは３１．９ｄｅｇに、レンズ長Ｈは４．３７［ｍｍ］に設定されている。
【００８２】
【表３】
0005434457.tif 000005
【００８３】
表４は、実施例１においては、上記各条件式（１）〜（１４）を満足することを示す。
【００８４】
【表４】
0005434457.tif 000006
【００８５】
表４に示すように、実施例１では、第１レンズ群１１０のダブレットレンズ２００を形成する第１レンズエレメント１１１の屈折率ｎL1が１．５１に設定され、条件式（１）で規定される条件を満足している。
第１レンズ群１１０のダブレットレンズ２００を形成する第１レンズエレメント１１１のアッベ数νL1が５３．１に設定され、条件式（２）で規定される条件を満足している。
ダブレットレンズ２００を形成する第２レンズエレメント１１２のアッベ数νL２が４１．７に設定され、条件式（３）で規定される条件を満足している。
ダブレットレンズ２００の焦点距離fL12が３．１８に設定され、条件式（４）で規定される条件を満足している。
ダブレットレンズ２００の第１レンズエレメント１１１と第２レンズエレメント１１２の接合面により形成される第２面の曲率半径Ｒ２が−１．５に設定され、条件式（５）で規定される条件を満足している。
第１透明体（第１透明基板）１１３のＣＴＥ値CTEg 1 と、第２透明体（第２透明基板）１２２のＣＴＥ値CTEg 2 との差の絶対値ΔCTEが０に設定され、条件式（６）で規定される条件を満足している。
第１レンズ群１１０の焦点距離ｆｇ１が２．３７に設定され、条件式（７）で規定される条件を満足している。
第２レンズ群１２０の焦点距離ｆｇ２が−２．７４に設定され、条件式（８）に規定される条件を満足している。
第２レンズ群１２０の第２透明体（第２透明基板）１２２の屈折率ｎｇ２が１．６４に設定され、アッベ数νｇ２が６０．１に設定され、条件式（９）、（１０）に規定される条件を満足している。
第２レンズ群１２０の第５レンズエレメント１２４の像面側凸面の曲率半径Ｒｓ５が１１．０［ｍｍ］に設定され、条件式（１１）に規定される条件を満足している。
第１レンズ群１１０の第１透明体（第１透明基板）１１３の厚さＴｇ１が０．４５９［ｍｍ］に設定され、条件式（１２）に規定される条件を満足している。
第２レンズ群１２０の第２透明体（第２透明基板）１２２の厚さＴｇ２が１．３９［ｍｍ］に設定され、条件式（１３）に規定される条件を満足している。
バッファ層１２４の厚さＴｂｕｆが０．１［ｍｍ］に設定され、条件式（１４）に規定される条件を満足している。
【００８６】
図４は、実施例１において、球面収差(色収差)、非点収差、および歪曲収差を示す収差図である。図４（Ａ）が球面収差（色収差）、図４（Ｂ）が非点収差を、図４（Ｃ）が歪曲収差をそれぞれ示している。
図４からわかるように、実施例１によれば、球面、非点、歪曲の諸収差が良好に補正され、結像性能に優れた光学ユニットを含む撮像レンズが得られる。
【００８７】
＜２．第２の実施形態＞
図５は、本発明の第２の実施形態に係る撮像レンズの構成例を示す図である。
【００８８】
図５に示す第２の実施形態に係る撮像レンズ１００Ａと図１に示す第１の実施形態に係る撮像レンズ１００とは、基本的な構成は同じであり、以下に実施例２として示すように、各構成要素のパラメータ等の設定値が異なる。
したがって、ここでは、撮像レンズ１００Ａの詳細な説明は省略する。
以下に、撮像レンズの具体的な数値による実施例２を示す。なお、実施例２においては、撮像レンズ１００Ａの各レンズエレメント、バッファ層、ガラス基板（透明体）、撮像部を構成するカバーガラス１３０に対して、図３に示すような面番号が付与されている。
【００８９】
［実施例２］
表５、表６、表７、および表８に実施例２の各数値が示されている。実施例２の各数値は図５の撮像レンズ１００Ａに対応している。
【００９０】
表５は、実施例２における撮像レンズの各面番号に対応した各レンズエレメント、バッファ層、ガラス基板（透明体）、撮像部を構成するカバーガラスの曲率半径（Ｒ：ｍｍ），間隔（ｄ：ｍｍ）、屈折率（ｎｄ）、および分散値（νｄ）を示している。
【００９１】
【表５】
0005434457.tif 000007
【００９２】
表６は、実施例２における非球面を含む第１レンズエレメント１１１の面１、第１ガラス基板１１３の面４、第２レンズエレメント１１４の面５、並びに第２ガラス基板１２２の面８の４次、６次、８次、１０次の非球面係数を示す。
表６において、Ｋは円錐定数を、Ａは４次の非球面係数を、Ｂは６次の非球面係数を、Ｃは８次の非球面係数を、Ｄは１０次の非球面係数をそれぞれ表している。
【００９３】
【表６】
0005434457.tif 000008
【００９４】
表７は、実施例２における撮像レンズ１００Ａの焦点距離ｆ、開口数Ｆ、半画角ω、レンズ長Ｈが具体的に示されている。
ここで、焦点距離ｆは２．９９［ｍｍ］に、開口数Ｆは２．８に、半画角ωは３１．８ｄｅｇに、レンズ長Ｈは３．４６［ｍｍ］に設定されている。
【００９５】
【表７】
0005434457.tif 000009
【００９６】
表８は、実施例２においては、上記各条件式（１）〜（１４）を満足することを示す。
【００９７】
【表８】
0005434457.tif 000010
【００９８】
表８に示すように、実施例２では、第１レンズ群１１０のダブレットレンズ２００を形成する第１レンズエレメント１１１の屈折率ｎL1が１．５１に設定され、条件式（１）で規定される条件を満足している。
第１レンズ群１１０のダブレットレンズ２００を形成する第１レンズエレメント１１１のアッベ数νL1が５３．１に設定され、条件式（２）で規定される条件を満足している。
ダブレットレンズ２００を形成する第２レンズエレメント１１２のアッベ数νL２が２９．０に設定され、条件式（３）で規定される条件を満足している。
ダブレットレンズ２００の焦点距離fL12が２．５に設定され、条件式（４）で規定される条件を満足している。
ダブレットレンズ２００の第１レンズエレメント１１１と第２レンズエレメント１１２の接合面により形成される第２面の曲率半径Ｒ２が−∞に設定され、条件式（５）で規定される条件を満足している。
第１透明体（第１透明基板）１１３のＣＴＥ値CTEg 1 と、第２透明体（第２透明基板）１２２のＣＴＥ値CTEg 2 との差の絶対値ΔCTEが０に設定され、条件式（６）で規定される条件を満足している。
第１レンズ群１１０の焦点距離ｆｇ１が１．９６に設定され、条件式（７）で規定される条件を満足している。
第２レンズ群１２０の焦点距離ｆｇ２が−２．３４に設定され、条件式（８）に規定される条件を満足している。
第２レンズ群１２０の第２透明体（第２透明基板）１２２の屈折率ｎｇ２が１．５２に設定され、アッベ数νｇ２が５５．０に設定され、条件式（９）、（１０）に規定される条件を満足している。
第２レンズ群１２０の第５レンズエレメント１２４の像面側凸面の曲率半径Ｒｓ５が６．２［ｍｍ］に設定され、条件式（１１）に規定される条件を満足している。
第１レンズ群１１０の第１透明体（第１透明基板）１１３の厚さＴｇ１が０．４［ｍｍ］に設定され、条件式（１２）に規定される条件を満足している。
第２レンズ群１２０の第２透明体（第２透明基板）１２２の厚さＴｇ２が１．００［ｍｍ］に設定され、条件式（１３）に規定される条件を満足している。
バッファ層１２４の厚さＴｂｕｆが０．１［ｍｍ］に設定され、条件式（１４）に規定される条件を満足している。
【００９９】
図６は、実施例２において、球面収差（色収差）、非点収差、および歪曲収差を示す収差図である。図６（Ａ）が球面収差(色収差)、図６（Ｂ）が非点収差を、図６（Ｃ）が歪曲収差をそれぞれ示している。
図６からわかるように、実施例２によれば、球面、非点、歪曲の諸収差が良好に補正され、結像性能に優れた光学ユニットを含む撮像レンズが得られる。
【０１００】
＜３．第３の実施形態＞
図７は、本発明の第３の実施形態に係る撮像レンズの構成例を示す図である。
【０１０１】
図７に示す第３の実施形態に係る撮像レンズ１００Ｂと図１に示す第１の実施形態に係る撮像レンズ１００とは、基本的な構成は同じであり、以下に実施例３として示すように、各構成要素のパラメータ等の設定値が異なる。
したがって、ここでは、撮像レンズ１００Ｂの詳細な説明は省略する。
以下に、撮像レンズの具体的な数値による実施例３を示す。なお、実施例３においては、撮像レンズ１００Ｂの各レンズエレメント、バッファ層、ガラス基板（透明体）、撮像部を構成するカバーガラス１３０に対して、図３に示すような面番号が付与されている。
【０１０２】
［実施例３］
表９、表１０、表１１、および表１２に実施例３の各数値が示されている。実施例３の各数値は図７の撮像レンズ１００Ｂに対応している。
【０１０３】
表９は、実施例３における撮像レンズの各面番号に対応した各レンズエレメント、バッファ層、ガラス基板（透明体）、撮像部を構成するカバーガラスの曲率半径（Ｒ：ｍｍ），間隔（ｄ：ｍｍ）、屈折率（ｎｄ）、および分散値（νｄ）を示している。
【０１０４】
【表９】
0005434457.tif 000011
【０１０５】
表１０は、実施例１における非球面を含む第１レンズエレメント１１１の面１、第２レンズエレメント１１４の面５、第４レンズエレメント１２１の面６、並びに第５レンズエレメント１２４の面１０の４次、６次、８次、１０次の非球面係数を示す。
表２において、Ｋは円錐定数を、Ａは４次の非球面係数を、Ｂは６次の非球面係数を、Ｃは８次の非球面係数を、Ｄは１０次の非球面係数をそれぞれ表している。
【０１０６】
【表１０】
0005434457.tif 000012
【０１０７】
表１１は、実施例３における撮像レンズ１００Ｃの焦点距離ｆ、開口数Ｆ、半画角ω、レンズ長Ｈが具体的に示されている。
ここで、焦点距離ｆは３．００［ｍｍ］に、開口数Ｆは２．８に、半画角ωは３１．９ｄｅｇに、レンズ長Ｈは３．５０［ｍｍ］に設定されている。
【０１０８】
【表１１】
0005434457.tif 000013
【０１０９】
表１２は、実施例３においては、上記各条件式（１）〜（１４）を満足することを示す。
【０１１０】
【表１２】
0005434457.tif 000014
【０１１１】
表１２に示すように、実施例３では、第１レンズ群１１０のダブレットレンズ２００を形成する第１レンズエレメント１１１の屈折率ｎL1が１．５４に設定され、条件式（１）で規定される条件を満足している。
第１レンズ群１１０のダブレットレンズ２００を形成する第１レンズエレメント１１１のアッベ数νL1が４１．７に設定され、条件式（２）で規定される条件を満足している。
ダブレットレンズ２００を形成する第２レンズエレメント１１２のアッベ数νL２が２９．０に設定され、条件式（３）で規定される条件を満足している。
ダブレットレンズ２００の焦点距離fL12が２．５９に設定され、条件式（４）で規定される条件を満足している。
ダブレットレンズ２００の第１レンズエレメント１１１と第２レンズエレメント１１２の接合面により形成される第２面の曲率半径Ｒ２が−１．７４に設定され、条件式（５）で規定される条件を満足している。
第１透明体（第１透明基板）１１３のＣＴＥ値CTEg 1 と、第２透明体（第２透明基板）１２２のＣＴＥ値CTEg 2 との差の絶対値ΔCTEが０に設定され、条件式（６）で規定される条件を満足している。
第１レンズ群１１０の焦点距離ｆｇ１が１．９９に設定され、条件式（７）で規定される条件を満足している。
第２レンズ群１２０の焦点距離ｆｇ２が−２．３７に設定され、条件式（８）に規定される条件を満足している。
第２レンズ群１２０の第２透明体（第２透明基板）１２２の屈折率ｎｇ２が１．５２３に設定され、アッベ数νｇ２が５５．０に設定され、条件式（９）、（１０）に規定される条件を満足している。
第２レンズ群１２０の第５レンズエレメント１２４の像面側凸面の曲率半径Ｒｓ５が５．７５［ｍｍ］に設定され、条件式（１１）に規定される条件を満足している。
第１レンズ群１１０の第１透明体（第１透明基板）１１３の厚さＴｇ１が０．４［ｍｍ］に設定され、条件式（１２）に規定される条件を満足している。
第２レンズ群１２０の第２透明体（第２透明基板）１２２の厚さＴｇ２が１．０３８［ｍｍ］に設定され、条件式（１３）に規定される条件を満足している。
バッファ層１２４の厚さＴｂｕｆが０．１［ｍｍ］に設定され、条件式（１４）に規定される条件を満足している。
【０１１２】
図８は、実施例３において、球面収差（色収差）、非点収差、および歪曲収差を示す収差図である。図８（Ａ）が球面収差(色収差)、図８（Ｂ）が非点収差を、図８（Ｃ）が歪曲収差をそれぞれ示している。
図８からわかるように、実施例２によれば、球面、非点、歪曲の諸収差が良好に補正され、結像性能に優れた光学ユニットを含む撮像レンズが得られる。
【０１１３】
＜４．第４の実施形態＞
図９は、本発明の第４の実施形態に係るウエハーレベルオプティクスを概念的に示す図である。
【０１１４】
ガラス基板２１０，２２０上にレプリカレンズを上下に多数個形成し、それぞれ第１群２３０、第２群２４０とする。
次に、この２枚のガラスウエハーを張り合わせ、多数個のレンズ２５０，２６０を一度に作製する。
ここで張り合わせのために、スペーサーを挟んだり、上や下にプロテクターや、スペーターを貼ったりすることもある。
【０１１５】
以上説明した本実施形態の撮像レンズ１００は、物体側ＯＢＪＳから像面１４０側に向かって順番に配置された、第１レンズ群１１０と、第２レンズ群１２０と、を有する。
第１レンズ群１１０は、物体側ＯＢＪＳから像面１４０側に向かって順番に配置された、第１レンズエレメント１１１と、第２レンズエレメント１１２、第１透明体１１３と、第３レンズエレメント１１４と、を含む。
第２レンズ群１２０は、物体側ＯＢＪＳから像面１４０側に向かって順番に配置された、第４レンズエレメント１２１と、第２透明体１２２と、第２バッファ層１２３と、第５レンズエレメント１２４と、を含む。
そして、第１レンズ群１１０の第１レンズエレメント１１１と第２レンズエレメント１１２は、ダブレットレンズを形成している。
したがって、本実施形態によれば、以下の効果を得ることができる。
【０１１６】
本実施形態の撮像レンズ１００によれば、ウエハーレベルオプティクスと呼ばれるものでダブレットレンズを使い高解像度、高性能な撮像光学系を実現することを可能とした。
第１レンズ群１１０のパワーを強い正、第２レンズ群１２０を強い負にして、光学収差を極力抑えて光学長を短くすることが可能となっている。
第１レンズ群１１０、第２レンズ群１２０のそれぞれで色収差を抑え、最適構成にすることによりよいカメラ性能を出すことが可能となる。
第１レンズ群１１０にダブレットレンズ２００を使うことにより、収差補正をより厳密に行うことができるようになる。ここでダブレットレンズは、アッベ数の高い凸とアッベ数の低い凹で構成されている。これによりここで色収差が消せ、その他の部分での設計自由度が増え、全体でより収差を抑えた最適な設計が可能となる利点がある。
最終第５レンズエレメント１２４の形状を像側に対しおおよそ凸形状にすることによりゴーストが発生しにくくすることができる。
また、このことによりセンサに対する入射角度を緩くして最適な光学性能が得られ、十分なバックフォーカスを取れるようになる。
そして、ウエハーレベルオプティクスで作るのに最適な構成にして、低コストで大量生産できるようになる。
通常の３群３枚構成の光学系、たとえば、３枚プラスチック構成やガラス‐プラスチック‐プラスチックの３枚構成のものと比べると、この発明の実施形態に係る光学ユニットは、同じ光学長の通常光学系よりも光学特性が優れている。
また、ウエハーオプティクスであるためにイメージャと同じような形に切り出すことができ、小型化ができることからサイズにおいても勝っている。
その上、基板を使うこの技術はより安価に生産できるので、通常光学系よりも同じ光学系性能のものをより安価で生産できる。ウエハーオプティクスはこの発明により、より利点が増える。
そして、本実施形態によれば、全長が短くコンパクトで、諸収差特性に優れた撮像レンズを実現することができる。
【０１１７】
以上説明したような特徴を有する撮像レンズ１００，１００Ａ，１００Ｂは、ＣＣＤやＣＭＯＳセンサ等の撮像素子を用いたデジタルカメラ、特に、携帯電話等の小型電子機器に搭載されるカメラ用レンズとして適用可能である。
【０１１８】
＜５．第５の実施形態＞
図１０は、本実施形態に係る光学ユニットを含む撮像レンズが採用される撮像装置の構成例を示すブロック図である。
【０１１９】
本撮像装置３００は、図１０に示すように、本実施形態に係る撮像レンズ１００，１００Ａ，１００Ｂが適用される光学系３１０、およびＣＣＤやＣＭＯＳイメージセンサ（固体撮像素子）が適用可能な撮像デバイス３２０を有する。
光学系３１０は、撮像デバイス３２０の画素領域を含む撮像面に入射光を導き、被写体像を結像する。
撮像装置３００は、さらに、撮像デバイス３２０を駆動する駆動回路(ＤＲＶ)３３０、および撮像デバイス３２０の出力信号を処理する信号処理回路(ＰＲＣ)３４０を有する。
【０１２０】
駆動回路３３０は、撮像デバイス３２０内の回路を駆動するスタートパルスやクロックパルスを含む各種のタイミング信号を生成するタイミングジェネレータ(図示せず)を有し、所定のタイミング信号で撮像デバイス３２０を駆動する。
【０１２１】
また、信号処理回路３４０は、撮像デバイス３２０の出力信号に対して所定の信号処理を施す。
信号処理回路３４０で処理された画像信号は、たとえばメモリなどの記録媒体に記録される。記録媒体に記録された画像情報は、プリンタなどによってハードコピーされる。また、信号処理回路３４０で処理された画像信号を液晶ディスプレイ等からなるモニターに動画として映し出される。
【０１２２】
上述したように、デジタルスチルカメラ等の撮像装置において、光学系３１０として、先述した撮像レンズ１００，１００Ａ、１００Ｂを搭載することで、低消費電力で、高精度なカメラが実現できる。
【符号の説明】
【０１２３】
１００，１００Ａ，１００Ｂ・・・撮像レンズ、１１０，１１０Ａ，１１０Ｂ・・・第１レンズ群、１１１・・・第１レンズエレメント、１１２・・・第２レンズエレメント、１１３・・・第１透明体（第１ガラス基板）、１１４・・・第３レンズエレメント、１２１・・・第４レンズエレメント、１２２・・・第２透明体（第２ガラス基板）、１２３・・・バッファ層、１２４・・・第５レンズエレメント、１３０・・・カバーガラス、１４０・・・像面、２００・・・ダブレットレンズ、３００・・・撮像装置、３１０・・・光学系、３２０・・・撮像デバイス、３３０・・・駆動回路(ＤＲＶ)、３４０・・・信号処理回路(ＰＲＣ)。
【図１】
0005434457.tif 000015
【図２】
0005434457.tif 000016
【図３】
0005434457.tif 000017
【図４】
0005434457.tif 000018
【図５】
0005434457.tif 000019
【図６】
0005434457.tif 000020
【図７】
0005434457.tif 000021
【図８】
0005434457.tif 000022
【図９】
0005434457.tif 000023
【図１０】
0005434457.tif 000024